(57)【要約】      （修正有）【課題】給水配管との接続部位の確認やメンテナンスが容易で、漏水が床下に漏れることを防止可能な防水パン用給水栓を提供する。【解決手段】防水パン用給水栓２０は、導出部材４０と、ワンタッチ式のジョイント部５０と、バルブ本体６０と、導出部材に形成された収納部７０と、を有する。導出部材は、防水パンの底面板１１に形成された貫通孔１５を水密状態に覆って防水パンに固定され、床面１００の下側の給水配管３０を通す。ジョイント部は、導出部材を通して底面板よりも上方に導出された給水配管の端部に接続され、給水配管との間をシールする第１シール部５１を有する。バルブ本体は、ジョイント部に接続され給水配管を通って供給される上水の給水および給水停止が可能である。収納部は、ジョイント部を防水パンの底面板よりも上方位置に収納する。防水パン用給水栓はさらに、導出部材と給水配管との間をシールする第２シール部４４を有する。【選択図】図３
0003230848.tif 000002
【実用新案登録請求の範囲】
【請求項１】
排水口が形成された底面板を備え床面に設置される防水パンに設置される給水栓であって、
前記防水パンの前記底面板に形成された貫通孔を水密状態に覆って前記防水パンに固定され、前記床面の下側に設置される給水配管を通す導出部材と、
前記導出部材を通して前記防水パンの前記底面板よりも上方に導出された前記給水配管の端部に接続され、前記給水配管との間をシールする第１シール部を有するワンタッチ式のジョイント部と、
前記ジョイント部に接続され前記給水配管を通って供給される上水の給水および給水停止が可能なバルブ本体と、
前記導出部材に形成され、前記ジョイント部を前記防水パンの前記底面板よりも上方位置に収納する収納部と、
前記導出部材と前記給水配管との間をシールする第２シール部と、を有する、防水パン用給水栓。
【請求項２】
前記第１シール部からの漏水を、前記収納部内から前記防水パンの前記底面板に流す排水通路を有する、請求項１に記載の防水パン用給水栓。
【請求項３】
前記排水通路の一部に設置され、前記収納部に収納される前記ジョイント部を保持する保持部材をさらに有する、請求項２に記載の防水パン用給水栓。
【請求項４】
前記保持部材は、切り欠き部が形成されたリング形状を有し、前記切り欠き部が前記排水通路の一部を構成する、請求項３に記載の防水パン用給水栓。
【請求項５】
前記導出部材は、
前記防水パンの前記貫通孔に挿通可能な中空のパイプ部に前記防水パンの前記底面板の下面に接触するフランジ部が形成された床固定フランジ部材と、
前記床固定フランジ部材の前記パイプ部における前記防水パンの前記底面板よりも上方側に接続され、前記収納部を形成する固定ナット部と、
前記固定ナット部の下端と前記防水パンの前記底面板との間をシールする第３シール部と、を有する、請求項１〜４のいずれか１項に記載の防水パン用給水栓。
【考案の詳細な説明】
【技術分野】
【０００１】
本考案は、防水パンに設置される防水パン用給水栓に関する。
【背景技術】
【０００２】
例えば洗濯機を設置する防水パンとして、給水栓が設置されたタイプの防水パンが知られている。この種の防水パン用給水栓は、床面の下側に設置される給水配管の端部が直接接続されている（例えば、特許文献１を参照）。
【先行技術文献】
【特許文献】
【０００３】
【特許文献１】特許第６５１４５９０号公報
【考案の概要】
【考案が解決しようとする課題】
【０００４】
防水パン用給水栓と給水配管の端部とは、床面の下側、あるいは上記特許文献１に開示されているように床面に形成した給水配管孔に臨む位置において接続されている。
【０００５】
このため、洗濯機を設置した後には、防水パン用給水栓と給水配管の端部との接続部位を確認したり、メンテナンスしたりすることが難しい。さらに、何らかの原因によって接続部位から漏水が発生した場合には、床下における漏水を発見することも難しい。
【０００６】
本考案は、上記従来技術に伴う課題を解決するためになされたものであり、給水配管の端部との接続部位を確認したり、メンテナンスしたりすることが容易であり、接続部位からの漏水が発生した場合であっても漏水が床下に漏れることを防止できる、防水パン用給水栓を提供することを目的とする。
【課題を解決するための手段】
【０００７】
上記目的を達成する本考案の防水パン用給水栓は、排水口が形成された底面板を備え床面に設置される防水パンに設置される給水栓である。防水パン用給水栓は、導出部材と、ワンタッチ式のジョイント部と、バルブ本体と、収納部と、を有する。導出部材は、前記防水パンの前記底面板に形成された貫通孔を水密状態に覆って前記防水パンに固定され、前記床面の下側に設置される給水配管を通す。ワンタッチ式のジョイント部は、前記導出部材を通して前記防水パンの前記底面板よりも上方に導出された前記給水配管の端部に接続され、前記給水配管との間をシールする第１シール部を有する。バルブ本体は、前記ジョイント部に接続され前記給水配管を通って供給される上水の給水および給水停止が可能である。収納部は、前記導出部材に形成され、前記ジョイント部を前記防水パンの前記底面板よりも上方位置に収納している。防水パン用給水栓はさらに、前記導出部材と前記給水配管との間をシールする第２シール部を有する。
【考案の効果】
【０００８】
本考案の防水パン用給水栓によれば、給水配管の端部は、防水パンの底面板の貫通孔を水密状態に覆う導出部材を通して、底面板よりも上方に導出され、ワンタッチ式のジョイント部に接続される。ジョイント部は、防水パンの底面板よりも上方において、導出部材の収納部に収納される。防水パン用給水栓と給水配管の端部との接続部位が防水パンの底面板よりも上方に位置するため、接続部位の確認やメンテナンスを容易に行うことができる。ジョイント部の第１シール部によって給水配管からの漏水を防止することは可能であるが、何らかの原因によって第１シール部からの漏水が発生した場合であっても、第２シール部によって、給水配管の外表面を伝って流れ落ちてきた漏水が床下にまで漏れることが防止される。第１シール部からの漏水は収納部内から防水パンの底面板に排水される。排水された漏水は、底面板の排水口から排水される。したがって、漏水が床下に漏れることを防止できる。また、漏水の発見を容易に行うことができる。
【図面の簡単な説明】
【０００９】
【図１】本考案の防水パン用給水栓が設置された防水パンを示す斜視図である。
【図２】図１の防水パン用給水栓の部分を拡大して示す斜視図である。
【図３】図１の３−３線に沿う断面図である。
【図４】防水パン用給水栓の要部を示す断面図である。
【図５】収納部に収納されるジョイント部を保持する保持部材を示す斜視図である。
【考案を実施するための形態】
【００１０】
以下、添付した図面を参照しながら、本発明の実施形態およびその変形例を説明する。なお、以下の記載は特許請求の範囲に記載される技術的範囲や用語の意義を限定するものではない。また、図面の寸法比率は説明の都合上誇張されており、実際の比率とは異なる場合がある。
【００１１】
図１は、本考案の防水パン用給水栓２０が設置された防水パン１０を示す斜視図である。
【００１２】
図１に示す防水パン１０は、洗濯機を設置するために使用される。防水パン１０は、平面視において矩形形状の底面板１１と、底面板１１の四隅に配置され洗濯機の脚部を載置する載置台１２と、底面板１１の外周を囲むように立ち上がる縦壁部１３とを有する。防水パン１０は、底面板１１、載置台１２、および縦壁部１３を一体的に形成した樹脂成型品である。樹脂材料としては、例えば、ＰＰ（ポリプロピレン）樹脂や、ＡＢＳ樹脂などである。底面板１１には、後述する防水パン用給水栓２０が設置されている。また、底面板１１には、排水トラップと接続する排水口１４が形成されている。
【００１３】
図２は、図１の防水パン用給水栓２０の部分を拡大して示す斜視図、図３は、図１の３−３線に沿う断面図、図４は、防水パン用給水栓２０の要部を示す断面図である。図５は、収納部７０に収納されるジョイント部５０を保持する保持部材を示す斜視図である。なお、防水パン用給水栓２０を構成する各部材の説明において使用する「上」または「下」は、図３に示される使用状態における「上」または「下」を表すものとする。
【００１４】
図２および図３に示すように、防水パン用給水栓２０は、床面１００に設置される防水パン１０に設置される給水栓である。防水パン１０は、図１に示したように、排水口１４が形成された底面板１１を備えている。床面１００には、床面１００の下側に設置される給水配管３０の端部３１を引き出す給水配管孔１０１が形成されている。
【００１５】
図３および図４に示すように、防水パン用給水栓２０は、概説すると、導出部材４０と、ワンタッチ式のジョイント部５０と、バルブ本体６０と、導出部材４０に形成された収納部７０と、を有する。導出部材４０は、防水パン１０の底面板１１に形成された貫通孔１５を水密状態に覆って防水パン１０に固定され、床面１００の下側に設置される給水配管３０を通す。ワンタッチ式のジョイント部５０は、導出部材４０を通して防水パン１０の底面板１１よりも上方に導出された給水配管３０の端部３１に接続され、給水配管３０との間をシールする第１シール部５１を有する。バルブ本体６０は、ジョイント部５０に接続され給水配管３０を通って供給される上水の給水および給水停止が可能である。収納部７０は、ジョイント部５０を防水パン１０の底面板１１よりも上方位置に収納している。以下、詳述する。
【００１６】
給水配管３０は、可撓性を備える樹脂製パイプである。樹脂材料としては、例えば、ＰＥ（ポリエチレン）樹脂である。樹脂製の給水配管３０の上端開口には、金属製のインコア３２が挿入されている。
【００１７】
導出部材４０は、床固定フランジ部材４１と、固定ナット部４２と、第３シール部４３と、を有する。
【００１８】
床固定フランジ部材４１は、防水パン１０の貫通孔１５に挿通可能な中空のパイプ部４１ａに防水パン１０の底面板１１の下面に接触するフランジ部４１ｂが形成されている。パイプ部４１ａは、上端部の外周面に雄ねじ部が形成されている。フランジ部４１ｂは、パイプ部４１ａの高さ方向の略中央位置に形成されている。床固定フランジ部材４１は、金属材料から形成される。
【００１９】
固定ナット部４２は、床固定フランジ部材４１のパイプ部４１ａにおける防水パン１０の底面板１１よりも上方側に接続され、収納部７０を形成する。固定ナット部４２は、筒形状を有し、下端部の内周面に雌ねじ部が形成されている。固定ナット部４２は、雌ねじ部によって、床固定フランジ部材４１におけるパイプ部４１ａの雄ねじ部にねじ込まれる。固定ナット部４２の中心孔４２ａによって、収納部７０が形成される。ジョイント部５０を収納し易くするために、中心孔４２ａの内径は、ジョイント部５０の外径よりも若干大きい寸法を有する。固定ナット部４２は、金属材料から形成される。
【００２０】
第３シール部４３は、固定ナット部４２の下端と防水パン１０の底面板１１との間をシールする。第３シール部４３は、固定ナット部４２をパイプ部４１ａにねじ込むのに伴って圧縮され、固定ナット部４２の下端と防水パン１０の底面板１１との間の隙間を密封する。第３シール部４３によって、防水パン１０の底面板１１に受け止めた水が貫通孔１５を通って床面１００に漏れることが防止される。第３シール部４３の構成は、特に限定されないが、本実施形態にあっては、パイプ部４１ａに挿通され、断面が三角形状を有するシールパッキンから形成される。固定ナット部４２と第３シール部４３との間に、スリップパッキンをさらに配置することができる。第３シール部４３は、弾性を有する樹脂材料やゴム系材料から形成される。
【００２１】
ワンタッチ式のジョイント部５０の構成は、特に限定されないが、例えば、ダブルロックジョイント（株式会社オンダ製作所の登録商標）を使用することができる。このジョイント部５０は、筒形状を有する本体部５２と、本体部５２に挿入される筒形状を有する抜け止め部材５３とを有する。本体部５２および抜け止め部材５３は、金属材料から形成される。
【００２２】
本体部５２は、上端部の外周面に雄ねじ部が形成され、下端部の内周面に雌ねじ部が形成されている。本体部５２は、雄ねじ部によって、バルブ本体６０にねじ込まれる。抜け止め部材５３は、上端部の外周面に雄ねじ部が形成されている。抜け止め部材５３は、雄ねじ部によって、本体部５２の雌ねじ部にねじ込まれる。本体部５２内には、インコア３２が当接する円環状の第１面５２ａと、抜け止め部材５３の上端部に向かい合う円環状の第２面５２ｂとが形成されている。給水配管３０は、抜け止め部材５３に挿通し、インコア３２が第１面５２ａに当接する位置まで挿入することによって、ジョイント部５０にワンタッチ式に接続される。インコア３２の軸方向長さは、本体部５２の第１面５２ａと抜け止め部材５３の下端部との間の寸法に等しい。樹脂製の給水配管３０は透明あるいは半透明であり、給水配管３０に光を当てることによって、インコア３２の影が反対側に写る。このため、抜け止め部材５３の下端部の位置までインコア３２の下端部が挿入されていれば、給水配管３０が正しい位置まで挿入されていることを目視によって確認できる。
【００２３】
ジョイント部５０の第１シール部５１は、給水配管３０との間をシールする。第１シール部５１は、インコア３２との間において給水配管３０に圧接され、本体部５２と給水配管３０の外周面との間の隙間を密封する。第１シール部５１によって、給水配管３０によって供給される上水がジョイント部５０から漏れることが防止される。第１シール部５１の構成は、特に限定されないが、本実施形態にあっては、上部シールパッキン５１ａおよび下部シールパッキン５１ｂから形成される。シールパッキンの個数は２個に限定されず、１個のみを配置でき、あるいは３個以上を配置できる。第１シール部５１は、弾性を有する樹脂材料やゴム系材料から形成される。
【００２４】
本体部５２の第２面５２ｂと抜け止め部材５３の上端部との間に、ロックリング５４が配置されている。ロックリング５４は、上方に向かう方向に傾斜して伸びているロック片５４ａを有する。給水配管３０に下方に向かう方向の引き抜き力が作用した場合、ロックリング５４のロック片５４ａが給水配管３０の外周面に食い込むことによって、給水配管３０の抜けが防止される。ロックリング５４は、ステンレス鋼などの金属材料から形成される。
【００２５】
バルブ本体６０は、上水の給水および給水停止が可能な公知のバルブ本体６０を適用できる。本実施形態のバルブ本体６０は、給水配管３０に交差する方向に沿う一方にはストップカプラー６１を有し、他方には給水および給水停止を切り替えるハンドル６２を有する。ストップカプラー６１に、洗濯機の給水口に接続された給水ホースのカプラー（いずれも図示せず）が着脱自在に接続される。なお、ストップカプラー６１の吐出口および給水配管３０の上端面は防水パン１０のあふれ縁よりも２５ｍｍ以上高い位置に配置され、所定の吐出口空間が確保される。
【００２６】
本実施形態の防水パン用給水栓２０は、導出部材４０と給水配管３０との間をシールする第２シール部４４をさらに有している。ジョイント部５０の第１シール部５１によって漏水を防止することは可能であるが、何らかの原因によって第１シール部５１からの漏水が発生した場合には、給水配管３０の外表面を伝って漏水が流れ落ちる恐れがある。第２シール部４４は、第１シール部５１よりも下方位置において、導出部材４０における床固定フランジ部材４１のパイプ部４１ａと給水配管３０の外周面との間の隙間を密封する。第２シール部４４によって、給水配管３０の外表面を伝って流れ落ちてきた漏水が床下にまで漏れることが防止される。第２シール部４４の構成は、特に限定されないが、本実施形態にあっては、上部シールパッキン４４ａおよび下部シールパッキン４４ｂから形成される。シールパッキンの個数は２個に限定されず、１個のみを配置でき、あるいは３個以上を配置できる。第２シール部４４は、弾性を有する樹脂材料やゴム系材料から形成される。
【００２７】
導出部材４０の床固定フランジ部材４１におけるパイプ部４１ａは、第２シール部４４よりも上方の位置では、給水配管３０との間に微小な隙間を有する。後述するように、隙間によって形成される空間７２（図４を参照）に第１シール部５１からの漏水が溜まることになるが、第２シール部４４を設けているため、給水配管３０の外表面を伝って床下にまで漏れることが防止される。
【００２８】
本実施形態の防水パン用給水栓２０は、第１シール部５１からの漏水を、収納部７０内から防水パン１０の底面板１１に流す排水通路７１を有する。排水通路７１は、図４に破線矢印によって示されるように、導出部材４０の固定ナット部４２とジョイント部５０の外表面との間の空間、固定ナット部４２の上端開口４２ｂなどから形成される。上述したように、ジョイント部５０の第１シール部５１によって漏水を防止することは可能であるが、何らかの原因によって第１シール部５１からの漏水が発生した場合には、第１シール部５１からの漏水は、まず、給水配管３０の外表面を伝って流れ落ち、パイプ部４１ａと給水配管３０の外周面との間の空間７２に溜まる。空間７２が漏水によって満たされると、漏水は、パイプ部４１ａの上端部と抜け止め部材５３の下端部との間の隙間を通り、収納部７０内の固定ナット部４２とジョイント部５０の外表面との間の空間に溜まる。収納部７０内の空間が漏水によって満たされると、漏水は、固定ナット部４２の上端開口４２ｂから溢れ、収納部７０内から防水パン１０の底面板１１に排水される。排水された漏水は、底面板１１の排水口１４から排水トラップに排水される。したがって、漏水が防水パン１０から溢れて床面１００の上に漏れることが防止され、床下に漏れることがない。
【００２９】
本実施形態の防水パン用給水栓２０は、排水通路７１の一部に設置され、収納部７０に収納されるジョイント部５０を保持する保持部材８０をさらに有する。ジョイント部５０は、保持部材８０によって収納部７０内においてがたつくことなくしっかりと保持される。また、保持部材８０は排水通路７１の一部に設置されるため、排水通路７１が確保される。
【００３０】
図５に示すように、保持部材８０は、切り欠き部８０ａが形成されたリング形状を有し、切り欠き部８０ａが排水通路７１の一部を構成している。切り欠き部８０ａを形成することによって、保持部材８０を設けても排水通路７１が確保されるため、何らかの原因によって第１シール部５１からの漏水が発生した場合であっても、第１シール部５１からの漏水は、排水通路７１を通って、収納部７０内から防水パン１０の底面板１１に排水される。
【００３１】
保持部材８０は、外周面に凹状溝８０ｂが形成されている。導出部材４０の固定ナット部４２の上端内周面には、保持部材８０の凹状溝８０ｂに嵌り込む突起４２ｃが形成されている。保持部材８０は、突起４２ｃが凹状溝８０ｂに嵌り込むことによって、固定ナット部４２に保持される。
【００３２】
（防水パン用給水栓２０の施工手順）
まず、床面１００に形成した給水配管孔１０１から、床面１００の下側に設置される給水配管３０の端部３１を床面１００よりも上方に引き出す。給水配管３０は樹脂製であり、透明あるいは半透明である。
【００３３】
上方に引き出した給水配管３０を、床固定フランジ部材４１のパイプ部４１ａに挿通する。床固定フランジ部材４１のフランジ部４１ｂを床面１００の上にねじによって固定する。
【００３４】
インコア３２を給水配管３０の上端開口に挿入する。インコア３２の挿入方向に沿う先端部の位置を、給水配管３０の外周面にマーキングする。マーキングは、テープなどを貼り付けることにより行う。
【００３５】
防水パン１０の貫通孔１５に、床固定フランジ部材４１のパイプ部４１ａを挿通する。防水パン１０を定められた位置に固定する。床固定フランジ部材４１のパイプ部４１ａに、第３シール部４３のシールパッキンを挿通し、さらに、スリップパッキンを挿通する。
【００３６】
床固定フランジ部材４１におけるパイプ部４１ａに、固定ナット部４２をねじ込む。固定ナット部４２のねじ込みによって、第３シール部４３のシールパッキンが、固定ナット部４２の下端と防水パン１０の底面板１１との間の隙間を密封する。
【００３７】
バルブ本体６０を接続したジョイント部５０に、給水配管３０をワンタッチ式に接続する。このとき、マーキングした位置まで、ジョイント部５０に給水配管３０を押し込む。給水配管３０をマーキングした位置まで押し込むことによって、給水配管３０は、正しい位置まで挿入される。
【００３８】
最後に、ジョイント部５０を固定ナット部４２の収納部７０に押し込む。これによって、防水パン用給水栓２０の施工が完了する。なお、マーキングのために貼り付けたテープは、パイプ部４１ａと給水配管３０の外周面との間の空間７２に収まるため、テープがシール性を阻害することはない。
【００３９】
（作用・効果）
以上説明したように、本実施形態の防水パン用給水栓２０は、排水口１４が形成された底面板１１を備え床面１００に設置される防水パン１０に設置される給水栓である。防水パン用給水栓２０は、導出部材４０と、ワンタッチ式のジョイント部５０と、バルブ本体６０と、収納部７０と、を有する。導出部材４０は、防水パン１０の底面板１１に形成された貫通孔１５を水密状態に覆って防水パン１０に固定され、床面１００の下側に設置される給水配管３０を通す。ワンタッチ式のジョイント部５０は、導出部材４０を通して防水パン１０の底面板１１よりも上方に導出された給水配管３０の端部３１に接続され、給水配管３０との間をシールする第１シール部５１を有する。バルブ本体６０は、ジョイント部５０に接続され給水配管３０を通って供給される上水の給水および給水停止が可能である。収納部７０は、導出部材４０に形成され、ジョイント部５０を防水パン１０の底面板１１よりも上方位置に収納している。防水パン用給水栓２０はさらに、導出部材４０と給水配管３０との間をシールする第２シール部４４を有する。
【００４０】
このように構成した防水パン用給水栓２０によれば、給水配管３０の端部３１は、防水パン１０の底面板１１の貫通孔１５を水密状態に覆う導出部材４０を通して、底面板１１よりも上方に導出され、ワンタッチ式のジョイント部５０に接続される。ジョイント部５０は、防水パン１０の底面板１１よりも上方において、導出部材４０の収納部７０に収納される。防水パン用給水栓２０と給水配管３０の端部３１との接続部位が防水パン１０の底面板１１よりも上方に位置するため、接続部位の確認やメンテナンスを容易に行うことができる。ジョイント部５０の第１シール部５１によって給水配管３０からの漏水を防止することは可能であるが、何らかの原因によって第１シール部５１からの漏水が発生した場合であっても、第２シール部４４によって、給水配管３０の外表面を伝って流れ落ちてきた漏水が床下にまで漏れることが防止される。第１シール部５１からの漏水は収納部７０内から防水パン１０の底面板１１に排水される。排水された漏水は、底面板１１の排水口１４から排水される。したがって、漏水が床下に漏れることを防止できる。また、漏水の発見を容易に行うことができる。
【００４１】
防水パン用給水栓２０は、第１シール部５１からの漏水を、収納部７０内から防水パン１０の底面板１１に流す排水通路７１を有することができる。このように構成すれば、何らかの原因によって第１シール部５１からの漏水が発生した場合に、第１シール部５１からの漏水を、排水通路７１を通して、収納部７０内から防水パン１０の底面板１１に確実に排水できる。したがって、漏水が床下に漏れることを確実に防止できる。
【００４２】
防水パン用給水栓２０は、排水通路７１の一部に設置され、収納部７０に収納されるジョイント部５０を保持する保持部材８０をさらに有することができる。このように構成すれば、ジョイント部５０は、保持部材８０によって収納部７０内においてがたつくことなくしっかりと保持される。また、保持部材８０は排水通路７１の一部に設置されるため、排水通路７１を確保できる。
【００４３】
保持部材８０は、切り欠き部８０ａが形成されたリング形状を有し、切り欠き部８０ａが排水通路７１の一部を構成することができる。このように構成すれば、保持部材８０を設けても排水通路７１を容易に確保できる。
【００４４】
導出部材４０は、防水パン１０の貫通孔１５に挿通可能な中空のパイプ部４１ａに防水パン１０の底面板１１の下面に接触するフランジ部４１ｂが形成された床固定フランジ部材４１と、床固定フランジ部材４１のパイプ部４１ａにおける防水パン１０の底面板１１よりも上方側に接続され、収納部７０を形成する固定ナット部４２と、固定ナット部４２の下端と防水パン１０の底面板１１との間をシールする第３シール部４３と、を有することができる。このように構成すれば、貫通孔１５を水密状態に覆って防水パン１０に固定され、床面１００の下側に設置される給水配管３０を通すことが可能な導出部材４０を簡単に形成できる。
【００４５】
以上、実施形態を通じて防水パン用給水栓２０を説明したが、本考案は説明した各構成のみに限定されるものでなく、実用新案登録請求の範囲の記載に基づいて適宜変更することが可能である。
【００４６】
例えば、保持部材８０は、切り欠き部８０ａが形成されたリング形状を有し、切り欠き部８０ａが排水通路７１の一部を構成するようにした。しかしながら、実施形態の保持部材８０はあくまで一例に過ぎず、この形状に限定されるものではない。保持部材８０は、ジョイント部５０を保持する機能を有し、かつ、漏水を排水する経路を有する限りにおいて、他の形状に適宜改変することができる。
【００４７】
また、洗濯機を設置する防水パン１０に適用される防水パン用給水栓２０を説明したが、本考案の防水パン用給水栓は、洗面台や台所のシンク等の防水パンに適用できる。
【符号の説明】
【００４８】
１０    防水パン、
１１    底面板、
１４    排水口、
１５    貫通孔、
２０    防水パン用給水栓、
３０    給水配管、
３２    インコア、
４０    導出部材、
４１    床固定フランジ部材、
４１ａ  パイプ部、
４１ｂ  フランジ部、
４２    固定ナット部、
４３    第３シール部、
４４    第２シール部、
４４ａ  上部シールパッキン、
４４ｂ  下部シールパッキン、
５０    ジョイント部、
５１    第１シール部、
５１ａ  上部シールパッキン、
５１ｂ  下部シールパッキン、
５２    本体部、
５３    抜け止め部材、
５４    ロックリング、
５４ａ  ロック片、
６０    バルブ本体、
７０    収納部、
７１    排水通路、
７２    床固定フランジ部材のパイプ部と給水配管の外周面との間の空間、
８０    保持部材、
８０ａ  切り欠き部、
８０ｂ  凹状溝、
１００  床面、
１０１  給水配管孔。
【図１】
0003230848.tif 000003
【図２】
0003230848.tif 000004
【図３】
0003230848.tif 000005
【図４】
0003230848.tif 000006
【図５】
0003230848.tif 000007